(57)【要約】【課題】カバー全体が取り外されてしまうリスクを低減できるバッテリカバーを提供する。【解決手段】バッテリカバー１００は、バッテリポスト１９に電気的に接続されるヒューズユニット１１に固定状態に取り付けられる絶縁樹脂製の固定カバー１５と、固定カバー１５の樹脂色と異なる識別性のよい有彩色の樹脂で成形されてヒンジ部３９を介して固定カバー１５に回転自在に接続されるとともにヒューズユニット１１に解除可能に係止されることによりバッテリポスト１９を覆う絶縁樹脂製の開閉カバー１７と、を備える。【選択図】図１
2019053956.tif 000002
【特許請求の範囲】
【請求項１】
バッテリポストに電気的に接続されるヒューズユニットに固定状態に取り付けられる絶縁樹脂製の固定カバーと、
前記固定カバーの樹脂色と異なる識別性のよい有彩色の樹脂で成形されてヒンジ部を介して前記固定カバーに回転自在に接続されるとともに前記ヒューズユニットに解除可能に係止されることにより前記バッテリポストを覆う絶縁樹脂製の開閉カバーと、
を備えることを特徴とするバッテリカバー。
【請求項２】
請求項１に記載のバッテリカバーであって、
前記ヒンジ部が、前記固定カバーと前記開閉カバーとに亘って一体的に成形される薄肉部であることを特徴とするバッテリカバー。
【請求項３】
請求項１記載のバッテリカバーであって、
前記ヒンジ部が、別体に成形された前記固定カバー及び前記開閉カバーの何れか一方に設けられた軸部と、前記固定カバー及び前記開閉カバーの何れか他方に設けられて前記軸部に回転自在に係合する軸受部と、からなることを特徴とするバッテリカバー。
【発明の詳細な説明】
【技術分野】
【０００１】
本発明は、バッテリカバーに関する。
【背景技術】
【０００２】
バッテリターミナルの保守やヒューズの視認等を容易に行うことができるバッテリカバーが知られている（例えば特許文献１参照）。バッテリには、電源供給用の電線との接続のために、ヒューズユニット（ヒュージブルリンクユニット）を装着するものがある。上記のバッテリカバーは、このヒューズユニットの上部を覆う第一のカバーと、第一のカバーにヒンジ部を介して繋がる第二のカバーとにより構成される。
【０００３】
バッテリカバーは、第一のカバーが両側側壁のロック部によりヒューズユニットの側壁に固定される。第一のカバーがヒューズユニットに固定されたバッテリカバーは、第二のカバーが、バッテリポスト及びヒューズユニットの上部を覆い、水滴等の浸入を阻止する。
【０００４】
この第二のカバーは、ヒンジ部を回動中心として開閉可能とされる。車両の組立時やメンテナンス時には、バッテリターミナルの保守やヒューズの視認を行う必要がある。このような場合、バッテリカバーは、その都度カバー全体の取り付けや取り外しを行うことなく、第二のカバーを開閉するだけでバッテリターミナルの保守やヒューズの視認等を容易にしている。
【先行技術文献】
【特許文献】
【０００５】
【特許文献１】特開２００２−２８９１７１号公報
【発明の概要】
【発明が解決しようとする課題】
【０００６】
しかしながら、従来のバッテリカバーは、第一のカバーと第二のカバーが例えば赤色の同色であったため、バッテリ接続状態で、一般ユーザにより誤って第一のカバーごと、カバー全体が取り外される場合があった。バッテリカバーは、全体が取り外されてしまうと、付け忘れが生じる虞がある。
【０００７】
本発明は上記状況に鑑みてなされたもので、その目的は、カバー全体が取り外されてしまうリスクを低減できるバッテリカバーを提供することにある。
【課題を解決するための手段】
【０００８】
本発明に係る上記目的は、下記構成により達成される。
（１）  バッテリポストに電気的に接続されるヒューズユニットに固定状態に取り付けられる絶縁樹脂製の固定カバーと、前記固定カバーの樹脂色と異なる識別性のよい有彩色の樹脂で成形されてヒンジ部を介して前記固定カバーに回転自在に接続されるとともに前記ヒューズユニットに解除可能に係止されることにより前記バッテリポストを覆う絶縁樹脂製の開閉カバーと、を備えることを特徴とするバッテリカバー。
【０００９】
上記（１）の構成のバッテリカバーによれば、固定カバーが、バッテリポストに電気的に接続されるヒューズユニットに固定状態に取り付けられる。この固定カバーには、ヒンジ部を介して開閉カバーが回転自在に接続される。一般ユーザは、例えば、バッテリ上がりや交換等の際に、係止を解除することにより、開閉カバーを開いてバッテリポストを露出させることができる。この際、一般ユーザは、開閉カバーが、固定カバーとは異なる識別性のよい有彩色の樹脂で成形されていることにより、バッテリポスト近傍を覆っている開閉カバーのみが開放部位であることを直観的にとらえることができる。その結果、一般ユーザにより誤ってカバー全体が取り外されてしまうリスクを低減し、カバー全体が取り外されてしまった場合のバッテリカバーの付け忘れを抑制できる。
【００１０】
（２）  上記（１）に記載のバッテリカバーであって、前記ヒンジ部が、前記固定カバーと前記開閉カバーとに亘って一体的に成形される薄肉部であることを特徴とするバッテリカバー。
【００１１】
上記（２）の構成のバッテリカバーによれば、固定カバーと開閉カバーとがヒンジ部を介して一体的に成形される。開閉カバーは、例えば２色成形により固定カバーとは異なる識別性のよい有彩色の樹脂で成形される。その結果、少ない部品点数でバッテリカバーの付け忘れを抑制できる。
【００１２】
（３）  上記（１）に記載のバッテリカバーであって、前記ヒンジ部が、別体に成形された前記固定カバー及び前記開閉カバーの何れか一方に設けられた軸部と、前記固定カバー及び前記開閉カバーの何れか他方に設けられて前記軸部に回転自在に係合する軸受部と、からなることを特徴とするバッテリカバー。
【００１３】
上記（３）の構成のバッテリカバーによれば、固定カバーと開閉カバーとが軸部と軸受部とを介して回転自在に接続される。従って、固定カバーと開閉カバーとは、個別に成形が可能となる。そのため、２色成形等の特殊成形を行わずに安価な製造コストでバッテリカバーの付け忘れを抑制できる。
【発明の効果】
【００１４】
本発明に係るバッテリカバーによれば、カバー全体が取り外されてしまうリスクを低減できる。
【００１５】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１６】
【図１】本発明の第１実施形態に係るバッテリカバーをヒューズユニット及びバッテリと共に示した側面図である。
【図２】図１の斜視図である。
【図３】図２に示した開閉カバーが閉じられた状態の斜視図である。
【図４】図３に示したバッテリカバーの斜視図である。
【図５】本発明の第２実施形態に係るバッテリカバーの分解斜視図である。
【図６】図５に示したバッテリカバーの組み立て状態の斜視図である。
【発明を実施するための形態】
【００１７】
以下、本発明に係る実施形態を図面を参照して説明する。
図１は本発明の第１実施形態に係るバッテリカバー１００をヒューズユニット１１及びバッテリ１３と共に示した側面図である。
本実施形態に係るバッテリカバー１００は、固定カバー１５と、開閉カバー１７と、を主要な構成として有している。
【００１８】
固定カバー１５は、バッテリポスト１９に電気的に接続されるとともに外部給電部及び大電流重要回路部等を有するヒューズユニット１１に係止されて固定状態に取り付けられている。バッテリ１３は、上面の隅部に取付スペースが設けられ、この取付スペースにおいて、正極及び負極の一対のバッテリポスト１９を有している。バッテリポスト１９には、バッテリ端子２１が接続される。このバッテリ端子２１は、ヒューズユニット１１に電気的に接続される。
【００１９】
ヒューズユニット１１は、バッテリ１３と電源供給用の複数の電線２３とを接続するものであり、ヒューズを含む導電金属製の板状のヒューズエレメントと、ヒューズエレメントがインサート成型された電気絶縁性の樹脂ボディとで略Ｌ字状に構成されている。ヒューズユニット１１は、ヒューズエレメントの表裏に電気絶縁性の合成樹脂材である樹脂ボディを一体成形して成る。
【００２０】
複数のヒューズを含む導電金属製のヒューズエレメントは、一枚の導電金属板から打ち抜き形成され、中間部に屈曲部を一体に有し、屈曲部から板厚方向に屈曲自在となっている。ヒューズエレメントの屈曲部は樹脂成形金型（図示せず）の樹脂材を注入しない部分に配置することにより、樹脂ボディの外部に露出した状態になっている。
【００２１】
屈曲部を境に垂直に配置される導電金属板の端部には、図示しない複数のタブ端子が並列に配置されている。各タブ端子は、樹脂ボディから露出するヒューズに続いている。タブ端子は、樹脂ボディと一体のコネクタハウジングの嵌合室内に突出して位置している。タブ端子とコネクタハウジングとで雌型コネクタ部２５が構成されている。この雌型コネクタ部２５には、補機等に接続された複数の電線２３がコネクタ２７を介して電気的に接続される（図２参照）。
【００２２】
また、屈曲部を境に水平に配置される導電金属板には、外部給電部であるバッテリ端子用の接続部２９、大電流重要回路部であるオルタネータ端子用及びスタータ端子用の接続部３１,３１がスタッドボルトの形態で形成されている。バッテリ端子用の接続部２９とオルタネータ端子用及びスタータ端子用の接続部３１，３１との間には、ヒューズが設けられている。
【００２３】
樹脂ボディは、中間部を境に前後両側に分割して形成されている。ヒューズは、ヒューズエレメントの両端部側に設けられ、樹脂ボディの空室部内に位置し、錫や鉛等の合金製の金属チップを備えている。樹脂ボディは、中間部で直角に屈曲可能に形成されている。樹脂ボディは、中間部を境にして水平方向に位置する前部分割部３３と、垂直方向に位置する後部分割部３５とに分けられている。
【００２４】
水平方向の前部分割部３３は、バッテリ端子用の接続部２９にナットで上下方向に締付接続され、バッテリ端子２１の環状部３７を利用してバッテリポスト１９に締付接続される。ヒューズユニット１１の垂直方向の後部分割部３５は、略直角に屈曲された状態で、バッテリ１３の側壁面に沿って垂設されている。
【００２５】
本第１実施形態に係るバッテリカバー１００は、ヒューズユニット１１とは別体であるが、一度、ヒューズユニット１１に取り付ければ、開閉カバー１７を開閉するだけでバッテリターミナルの保守やヒューズの視認等を容易に行うことができるものである。
【００２６】
バッテリカバー１００は、耐熱性の塩化ビニールその他のプラスチック等の電気絶縁性の合成樹脂で形成されており、ヒューズユニット１１を上方から覆うことのできるように下面を開放し、オルタネータ端子用及びスタータ端子用の接続部３１，３１に、オルタネータ端子用及びスタータ端子用の端子付き電線２３，２３等を挿通させることができるように両側側壁に膨出部４３,４３を有した箱形に形成されている。
【００２７】
図２は図１の斜視図、図３は図２に示した開閉カバー１７が閉じられた状態の斜視図、図４は図３に示したバッテリカバー１００の斜視図である。
本第１実施形態に係るバッテリカバー１００は、ヒューズユニット１１の上部を覆う開閉カバー１７と、開閉カバー１７にヒンジ部３９を介して繋がる固定カバー１５とにより一体的に構成される。
【００２８】
固定カバー１５は、両側側壁が略直角に屈曲する覆部４１と、覆部４１の両側側壁に設けられる膨出部４３とで構成されている。後壁は、電線付き端子を挿通できるように開放して形成されている。後壁に対向する前壁４５は、ヒンジ部３９を介して開閉カバー１７に連続している。ここで、説明の都合上、前後の概念は、バッテリポスト側を前側とし、固定カバー側を後側とする。左右の概念は、前後方向に直交する側をいうものとする。
【００２９】
固定カバー１５には、ヒューズユニット１１に着脱自在に固定するためのロック部（図示せず）が形成されており、ロック部をヒューズユニット側壁の被ロック部（図示せず）に係合させることにより、固定カバー１５がヒューズユニット１１に固定状態に取り付けられる。
【００３０】
開閉カバー１７は、上壁４７と、上壁４７の周囲に略直角に屈曲する両側の側壁４９と、前壁４５とから構成されている。上壁４７の前側には、鍔部５１が形成されており、鍔部５１をつまみながら上方に持ち上げることで、開閉カバー１７の開扉操作を容易に行うことができるように構成されている。
【００３１】
開閉カバー１７は、ヒンジ部３９を回動中心として開扉可能に構成されているので、ワンタッチで開閉カバー１７を開扉して、バッテリポスト１９、バッテリ端子２１、バッテリ端子用の接続部２９の接続やヒューズの視認を行うことができる。
【００３２】
開閉カバー１７は、バッテリポスト１９及びヒューズユニット１１の前側上部を覆い、水滴等の浸入を阻止してヒューズユニット１１を電気的に絶縁する保護カバーである。固定カバー１５と異なる点は、ヒンジ部３９を回動中心として開閉可能な点である。車両のメンテナンス時には、バッテリポスト１９、バッテリ端子２１、バッテリ端子用の接続部２９の接続やヒューズの視認を行う必要があり、このような場合に、その都度、バッテリカバー１００の取付けや取外しを行ったのでは、作業が煩雑になり作業性が悪いからである。なお、ヒューズユニット１１が下向きに屈曲する側のヒューズについては、バッテリカバー１００で覆われていないため、常時視認を行うことができ問題はない。
【００３３】
ところで、この開閉カバー１７は、固定カバー１５と異なる識別性のよい有彩色の樹脂で成形される。識別性のよい有彩色としては、例えば赤色を挙げることができる。識別性のよい有彩色としては、ＪＩＳ規格における基本色名の有彩色である赤(red)・黄(yellow)・緑(green)・青(blue)・紫(purple)に加え、これらの中間的な色を表す基本色名として黄赤(yellow red, orange)・黄緑(yellow green)・青緑(blue green)・青紫(purple blue, violet)・赤紫(red purple)とすることができる。開閉カバー１７は、「＋」マークＭと共に赤色に樹脂着色された樹脂で成形されている。
一方、固定カバー１５は、開閉カバー１７の有彩色（例えば赤色）以外の色に樹脂着色（図中、ドットハッチで図示）されている。
【００３４】
本第１実施形態において、固定カバー１５と開閉カバー１７とは、２色成形により一体成形されている。
開閉カバー１７は、図１に示したように、側壁４９の内面に突設した係止突部５０がヒューズユニット１１の側面に凹設した係止凹部３６を解除可能に係止することにより、バッテリポスト１９及びバッテリ端子用の接続部２９を表出させた状態又は覆った状態を採りえる。
【００３５】
バッテリカバー１００は、ヒンジ部３９と固定カバー１５との間に第一傾斜壁５３が設けられ、ヒンジ部３９と開閉カバー１７との間に第二傾斜壁５５が設けられている。第一傾斜壁５３及び第二傾斜壁５５は、所定の開き角度で対面している。第一傾斜壁５３及び第二傾斜壁５５は、開閉カバー１７の開方向のストッパーとして機能する。すなわち、開閉カバー１７は、第一傾斜壁５３及び第二傾斜壁５５が当接することで、それ以上開かないように構成されている。
【００３６】
ヒンジ部３９は、固定カバー１５と開閉カバー１７とに亘って一体的に成形される薄肉部である。従って、開閉カバー１７は、ヒンジ部３９を介して開閉をスムーズに行うことできる。
【００３７】
次に、上記した構成の作用を説明する。
本第１実施形態に係るバッテリカバー１００では、固定カバー１５が、バッテリポスト１９に電気的に接続されるヒューズユニット１１に固定状態に取り付けられる。この固定カバー１５には、ヒンジ部３９を介して開閉カバー１７が回転自在に接続される。
【００３８】
開閉カバー１７は、閉方向に回転されることで、ヒューズユニット１１に係止されてバッテリポスト１９及びバッテリ端子用の接続部２９を覆って保持される。開閉カバー１７は、バッテリポスト１９及びバッテリ端子用の接続部２９を覆うことにより、水滴等の浸入を阻止して防水・防塵効果を高める。
【００３９】
開閉カバー１７は、ヒューズユニット１１に解除可能に係止されているので、例えば、バッテリ上がりや交換等の際に、一般ユーザは、係止を解除することにより、開閉カバー１７を開いてバッテリポスト１９やバッテリ端子用の接続部２９を露出させることができる。
【００４０】
この際、一般ユーザは、開閉カバー１７が、固定カバー１５とは異なる識別性のよい有彩色の樹脂で成形されていることにより、バッテリポスト１９近傍を覆っている開閉カバー１７のみが開放部位であることを直観的にとらえることができる。このように、バッテリカバー１００は、少なくとも、従来構造のように、第一のカバー（固定カバー１５）と第二のカバー（開閉カバー１７）が赤色の同色である構造に比べ、固定カバー１５が同時に取り外される確率を低減させることができる。
その結果、一般ユーザにより誤ってカバー全体が取り外されてしまうリスクを低減し、カバー全体が取り外されてしまった場合のバッテリカバー１００の付け忘れを抑制できる。
【００４１】
なお、オルタネータ回路に接続されるオルタネータ端子用の接続部３１や、スタータ回路に接続されるスタータ端子用の接続部３１を覆っている固定カバー１５は、専門の作業者が重整備の際にのみ係止を解除して取り外すことが可能となる。
【００４２】
また、本第１実施形態に係るバッテリカバー１００は、固定カバー１５と開閉カバー１７とがヒンジ部３９を介して一体的に成形される。開閉カバー１７は、例えば２色成形により固定カバー１５とは異なる識別性のよい有彩色の樹脂で成形される。その結果、少ない部品点数でカバーの付け忘れを抑制できる。
【００４３】
図５は本発明の第２実施形態に係るバッテリカバー２００の分解斜視図、図６は図５に示したバッテリカバー２００の組み立て状態の斜視図である。
本第２実施形態に係るバッテリカバー２００は、固定カバー６３に開閉カバー６５を回転自在に接続するヒンジ部５７が、軸部５９と、軸受部６１と、からなる。軸部５９は、別体に成形された固定カバー６３及び開閉カバー６５の何れか一方（本実施形態では固定カバー６３）に設けられる。軸受部６１は、固定カバー６３及び開閉カバー６５の何れか他方（本実施形態では開閉カバー６５）に設けられる。軸受部６１は、軸部５９に回転自在に係合することができる。バッテリカバー２００の他の構成は、上記第１実施形態のバッテリカバー１００と同じである。
【００４４】
本第２実施形態に係るバッテリカバー２００では、固定カバー６３と開閉カバー６５とが、軸部５９と軸受部６１とからなるヒンジ部５７を介して回転自在に接続される。従って、固定カバー６３と、固定カバー６３の樹脂色（図中、ドットハッチで図示）と異なる識別性のよい有彩色の樹脂で成形される開閉カバー６５とは、個別に成形が可能となる。そのため、２色成形等の特殊成形を行わずに安価な製造コストでバッテリカバー２００の付け忘れを抑制できる。
【００４５】
従って、本実施形態に係るバッテリカバー１００及びバッテリカバー２００によれば、カバー全体が取り外されてしまうリスクを低減できる。
【００４６】
本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００４７】
ここで、上述した本発明に係るバッテリカバーの実施形態の特徴をそれぞれ以下［１］〜［３］に簡潔に纏めて列記する。
［１］  バッテリポスト（１９）に電気的に接続されるヒューズユニット（１１）に固定状態に取り付けられる絶縁樹脂製の固定カバー（１５，６３）と、
前記固定カバー（１５，６３）の樹脂色と異なる識別性のよい有彩色の樹脂で成形されてヒンジ部（３９，５７）を介して前記固定カバー（１５，６３）に回転自在に接続されるとともに前記ヒューズユニット（１１）に解除可能に係止されることにより前記バッテリポスト（１９）を覆う絶縁樹脂製の開閉カバー（１７，６５）と、
を備えることを特徴とするバッテリカバー（１００，２００）。
［２］  上記［１］に記載のバッテリカバーであって、
前記ヒンジ部（３９）が、前記固定カバー（１５）と前記開閉カバー（１７）とに亘って一体的に成形される薄肉部であることを特徴とするバッテリカバー（１００）。
［３］  上記［１］に記載のバッテリカバーであって、
前記ヒンジ部（５７）が、別体に成形された前記固定カバー（６３）及び前記開閉カバー（６５）の何れか一方に設けられた軸部（５９）と、前記固定カバー（６３）及び前記開閉カバー（６５）の何れか他方に設けられて前記軸部（５９）に回転自在に係合する軸受部（６１）と、からなることを特徴とするバッテリカバー（２００）。
【符号の説明】
【００４８】
１１…ヒューズユニット
１５…固定カバー
１７…開閉カバー
１９…バッテリポスト
３９…ヒンジ部
１００…バッテリカバー
【図１】
2019053956.tif 000003
【図２】
2019053956.tif 000004
【図３】
2019053956.tif 000005
【図４】
2019053956.tif 000006
【図５】
2019053956.tif 000007
【図６】
2019053956.tif 000008